(57)【要約】【課題】原稿画像と付加画像とが一つの印刷データとなっていても、原稿画像に付加画像が合成されることによる印刷速度の低下や意図しない課金の発生を防止する印刷データ処理方法を提供する。【解決手段】原稿画像の印刷データとこれに付加される付加画像の印刷データとが結合されてなり、付加画像の印刷データの色設定は無彩色の代替色または有彩色の代替色のいずれにも変換可能な付加画像用特色によりなされた結合印刷データを送信する段階（ａ）と、送信された結合印刷データを受信する段階（ｂ）と、受信された結合印刷データについて、原稿画像の印刷データの色設定に基づき、無彩色または有彩色のいずれかを判定する段階（ｃ）と、無彩色と判定された場合は付加画像の色設定をなす付加画像用特色を無彩色の代替色に変換し、有彩色と判定された場合は付加画像用特色を有彩色の代替色に変換する段階（ｄ）と、を有する。【選択図】図１１
2015109512.tif 000002
【特許請求の範囲】
【請求項１】
原稿画像の印刷データと前記原稿画像に付加される付加画像の印刷データとが結合された結合印刷データであって、前記付加画像の印刷データの色設定が無彩色の代替色または有彩色の代替色のいずれにも変換可能な付加画像用特色によりなされた前記結合印刷データを送信する段階（ａ）と、
前記段階（ａ）において送信された前記結合印刷データを受信する段階（ｂ）と、
前記段階（ｂ）において受信された前記結合印刷データについて、前記原稿画像の印刷データの色設定に基づいて、無彩色または有彩色のいずれかを判定する段階（ｃ）と、
前記段階（ｃ）において無彩色と判定された場合は、前記結合印刷データのうち前記付加画像の印刷データの色設定をなす前記付加画像用特色を前記付加画像用特色に対応する前記無彩色の代替色に変換し、有彩色と判定された場合は前記付加画像用特色を前記付加画像用特色に対応する前記有彩色の代替色に変換する段階（ｄ）と、
を有することを特徴とする印刷データ処理方法。
【請求項２】
前記付加画像の印刷データの色設定を、前記付加画像の印刷データの色設定に対応する、前記付加画像用特色または複数の前記付加画像用特色の組合せにより置換する段階（ｅ）と、
前記段階（ｅ）において前記付加画像の印刷データの色設定が置換された、前記付加画像の印刷データと、前記原稿画像の印刷データとを結合して前記結合印刷データを作成する段階（ｆ）と、をさらに有し、
前記段階（ａ）は、前記段階（ｆ）において作成された前記結合印刷データを送信することを特徴とする請求項１に記載の印刷データ処理方法。
【請求項３】
前記段階（ｆ）は、前記結合印刷データのページごとに、前記原稿画像の印刷データを前記付加画像の印刷データよりも前記結合印刷データにおいて先頭近くに配置されるように前記結合印刷データを作成することを特徴とする請求項２に記載の印刷データ処理方法。
【請求項４】
前記段階（ｃ）は、前記結合印刷データのページごとに、前記原稿画像の印刷データの色設定に基づいて、無彩色または有彩色のいずれかを判定し、
前記段階（ｄ）は、前記段階（ｃ）において前記結合印刷データのページごとに判定された判定結果に基づいて、前記ページごとに前記付加画像用特色を前記無彩色の代替値または前記有彩色の代替値に変換することを特徴とする請求項１〜３のいずれか一項に記載の印刷データ処理方法。
【請求項５】
情報処理装置と画像処理装置とを有する印刷データ処理システムに実行されるプログラムであって、
原稿画像の印刷データと前記原稿画像に付加される付加画像の印刷データとが結合された結合印刷データであって、前記付加画像の印刷データの色設定が無彩色の代替色または有彩色の代替色のいずれにも変換可能な付加画像用特色によりなされた前記結合印刷データを前記情報処理装置から前記画像処理装置へ送信させる手順（ａ）と、
前記手順（ａ）において前記情報処理装置から送信された前記結合印刷データを前記画像処理装置に受信させる手順（ｂ）と、
前記手順（ｂ）において前記画像処理装置により受信された前記結合印刷データについて、前記原稿画像の印刷データの色設定に基づいて、無彩色または有彩色のいずれかを判定する手順（ｃ）と、
前記手順（ｃ）において無彩色と判定された場合は、前記結合印刷データのうち前記付加画像の印刷データの色設定をなす前記付加画像用特色を前記付加画像用特色に対応する前記無彩色の代替色に変換し、有彩色と判定された場合は前記付加画像用特色を前記付加画像用特色に対応する前記有彩色の代替色に変換する手順（ｄ）と、
を有する手順を前記印刷データ処理システムに実行させるためのプログラム。
【請求項６】
前記付加画像の印刷データの色設定を、前記付加画像の印刷データの色設定に対応する、前記付加画像用特色または複数の前記付加画像用特色の組合せにより置換する手順（ｅ）と、
前記手順（ｅ）において前記付加画像の印刷データの色設定が置換された、前記付加画像の印刷データと、前記原稿画像の印刷データとを結合して前記結合印刷データを作成する手順（ｆ）と、をさらに前記印刷データ処理システムに実行させ、
前記段階（ａ）は、前記段階（ｆ）において作成された前記結合印刷データを前記情報処理装置から前記画像処理装置へ送信させることを特徴とする請求項５に記載のプログラム。
【請求項７】
前記手順（ｆ）は、前記結合印刷データのページごとに、前記原稿画像の印刷データを前記付加画像の印刷データよりも前記結合印刷データにおいて先頭近くに配置されるように前記結合印刷データを作成することを特徴とする請求項６に記載のプログラム。
【請求項８】
前記手順（ｃ）は、前記結合印刷データのページごとに、前記原稿画像の印刷データの色設定に基づいて、無彩色または有彩色のいずれかを判定し、
前記手順（ｄ）は、前記手順（ｃ）において前記結合印刷データのページごとに判定された判定結果に基づいて、前記ページごとに前記付加画像用特色を前記無彩色の代替値または前記有彩色の代替値に変換することを特徴とする請求項５〜７のいずれか一項に記載のプログラム。
【請求項９】
請求項５〜８のいずれか一項に記載のプログラムを記録したコンピュータ読み取り可能な記録媒体。
【請求項１０】
情報処理装置と画像処理装置とを有する印刷データ処理システムであって、
前記情報処理装置は、
原稿画像の印刷データと前記原稿画像に付加される付加画像の印刷データとが結合された結合印刷データであって、前記付加画像の印刷データの色設定は無彩色の代替色または有彩色の代替色のいずれにも変換可能な付加画像用特色によりなされた前記結合印刷データを、前記画像処理装置に送信する送信手段を有し、
前記画像処理装置は、
前記情報処理装置により送信された前記結合印刷データを受信する受信手段と、
前記受信手段により受信された前記結合印刷データについて、前記原稿画像の印刷データの色設定に基づいて、無彩色または有彩色のいずれかを判定する判定手段と、
前記判定手段により無彩色と判定された場合は、前記結合印刷データのうち前記付加画像の印刷データの色設定をなす前記付加画像用特色を前記付加画像用特色に対応する前記無彩色の代替色に変換し、有彩色と判定された場合は前記付加画像用特色を前記付加画像用特色に対応する前記有彩色の代替色に変換する色変換手段と、
を有することを特徴とする印刷データ処理システム。
【請求項１１】
前記情報処理装置は、
前記付加画像の印刷データの色設定を、前記付加画像の印刷データの色設定に対応する、前記付加画像用特色または複数の前記付加画像用特色の組合せにより置換する置換手段と、
前記置換手段により前記付加画像の印刷データの色設定が置換された、前記付加画像の印刷データと、前記原稿画像の印刷データとを結合して前記結合印刷データを作成する結合印刷データ作成手段と、をさらに有し、
前記送信手段は、前記結合印刷データ作成手段により作成された前記結合印刷データを前記画像形成装置に送信することを特徴とする請求項１０に記載の印刷データ処理システム。
【請求項１２】
前記結合印刷データ作成手段は、前記結合印刷データのページごとに、前記原稿画像の印刷データを前記付加画像の印刷データよりも前記結合印刷データにおいて先頭近くに配置されるように前記結合印刷データを作成することを特徴とする請求項１１に記載の印刷データ処理システム。
【請求項１３】
前記判定手段は、前記結合印刷データのページごとに、前記原稿画像の印刷データの色設定に基づいて、無彩色または有彩色のいずれかを判定し、
前記色変換手段は、前記判定手段により前記結合印刷データのページごとに判定された判定結果に基づいて、前記ページごとに前記付加画像用特色を前記無彩色の代替値または前記有彩色の代替値に変換することを特徴とする請求項１０〜１２のいずれか一項に記載の印刷データ処理システム。
【発明の詳細な説明】
【技術分野】
【０００１】
本発明は、印刷データ処理方法、印刷データ処理装置用プログラム、印刷データ処理装置用プログラムを記録したコンピュータ読取可能な記録媒体、および印刷データ処理システムに関する。
【背景技術】
【０００２】
印刷の仕上りを確認するために、原稿の印刷データをラスタライズした原稿画像と、ラスタライズした日付やカラーバー等のラスタライズ設定情報を含む付加画像とを合成した合成画像を出力し印刷する方法が知られている。
【０００３】
しかし、この方法によれば、原稿画像がモノクロで付加画像がカラーの場合、ラスタライズ後の合成画像がカラーとなってしまうため、印刷速度が低下したりユーザーが意図していない課金が発生するという問題がある。
【０００４】
このような問題を解決するための従来技術としては次のようなものがある。すなわち、画像処理装置においてモノクロとカラーの付加画像をそれぞれあらかじめ保存しておき、入力された印刷データの原稿画像がモノクロかカラーかを判定する。そして、モノクロと判定したときは原稿画像にモノクロの付加画像を、カラーと判定したときは原稿画像にカラーの付加画像を合成するというものがある（特許文献１）。
【先行技術文献】
【特許文献】
【０００５】
【特許文献１】特開２００４−１９４３５４号公報
【発明の概要】
【発明が解決しようとする課題】
【０００６】
しかし、上記従来技術は、原稿画像と付加画像とが一つの印刷データとなっている場合に対応できないという問題がある。
【０００７】
本発明は、このような課題を解決するためになされたものである。すなわち、本発明は、原稿画像の印刷データと付加画像の印刷データとが結合された結合印刷データにおいて、付加画像の印刷データの色設定をモノクロの代替色またはカラーの代替色のいずれにも変換可能な付加画像用特色により行う。そして、結合印刷データのラスタライズの際に、原稿画像がモノクロかカラーかを判定し、判定結果に基づいて、原稿画像と付加画像のモノクロ／カラー特性が一致するように付加画像の印刷データに色設定された付加画像用特色をモノクロの代替色またはカラーの代替色に変換する。これにより、原稿画像と付加画像とが一つの印刷データとなっていても、原稿画像に付加画像が合成されることによる印刷速度の低下やユーザーが意図しない課金の発生を防止することを目的とする。
【課題を解決するための手段】
【０００８】
本発明の上記課題は、以下の手段によって解決される。
【０００９】
（１）原稿画像の印刷データと前記原稿画像に付加される付加画像の印刷データとが結合された結合印刷データであって、前記付加画像の印刷データの色設定は無彩色の代替色または有彩色の代替色のいずれにも変換可能な付加画像用特色によりなされた前記結合印刷データを送信する段階（ａ）と、前記段階（ａ）において送信された前記結合印刷データを受信する段階（ｂ）と、前記段階（ｂ）において受信された前記結合印刷データについて、前記原稿画像の印刷データの色設定に基づいて、無彩色または有彩色のいずれかを判定する段階（ｃ）と、前記段階（ｃ）において無彩色と判定された場合は、前記結合印刷データのうち前記付加画像の印刷データの色設定をなす前記付加画像用特色を前記付加画像用特色に対応する前記無彩色の代替色に変換し、有彩色と判定された場合は前記付加画像用特色を前記付加画像用特色に対応する前記有彩色の代替色に変換する段階（ｄ）と、を有する印刷データ処理方法。
【００１０】
（２）前記付加画像の印刷データの色設定を、前記付加画像の印刷データの色設定に対応する、前記付加画像用特色または複数の前記付加画像用特色の組合せにより置換する段階（ｅ）と、前記段階（ｅ）において前記付加画像の印刷データの色設定が置換された、前記付加画像の印刷データと、前記原稿画像の印刷データとを結合して前記結合印刷データを作成する段階（ｆ）と、をさらに有し、前記段階（ａ）は、前記段階（ｆ）において作成された前記結合印刷データを送信する、上記（１）に記載の印刷データ処理方法。
【００１１】
（３）前記段階（ｆ）は、前記結合印刷データのページごとに、前記原稿画像の印刷データを前記付加画像の印刷データよりも前記結合印刷データにおいて先頭近くに配置されるように前記結合印刷データを作成する、上記（２）に記載の印刷データ処理方法。
【００１２】
（４）前記段階（ｃ）は、前記結合印刷データのページごとに、前記原稿画像の印刷データの色設定に基づいて、無彩色または有彩色のいずれかを判定し、前記段階（ｄ）は、前記段階（ｃ）において前記結合印刷データのページごとに判定された判定結果に基づいて、前記ページごとに前記付加画像用特色を前記無彩色の代替値または前記有彩色の代替値に変換する、上記（１）〜（３）のいずれか一項に記載の印刷データ処理方法。
【００１３】
（５）情報処理装置と画像処理装置とを有する印刷データ処理システムに実行されるプログラムであって、原稿画像の印刷データと前記原稿画像に付加される付加画像の印刷データとが結合された結合印刷データであって、前記付加画像の印刷データの色設定は無彩色の代替色または有彩色の代替色のいずれにも変換可能な付加画像用特色によりなされた前記結合印刷データを前記情報処理装置から前記画像処理装置へ送信させる手順（ａ）と、前記手順（ａ）において前記情報処理装置から送信された前記結合印刷データを前記画像処理装置に受信させる手順（ｂ）と、前記手順（ｂ）において前記画像処理装置により受信された前記結合印刷データについて、前記原稿画像の印刷データの色設定に基づいて、無彩色または有彩色のいずれかを判定する手順（ｃ）と、前記手順（ｃ）において無彩色と判定された場合は、前記結合印刷データのうち前記付加画像の印刷データの色設定をなす前記付加画像用特色を前記付加画像用特色に対応する前記無彩色の代替色に変換し、有彩色と判定された場合は前記付加画像用特色を前記付加画像用特色に対応する前記有彩色の代替色に変換する手順（ｄ）と、
を有する手順を前記印刷データ処理システムに実行させるためのプログラム。
【００１４】
（６）前記付加画像の印刷データの色設定を、前記付加画像の印刷データの色設定に対応する、前記付加画像用特色または複数の前記付加画像用特色の組合せにより置換する手順（ｅ）と、前記手順（ｅ）において前記付加画像の印刷データの色設定が置換された、前記付加画像の印刷データと、前記原稿画像の印刷データとを結合して前記結合印刷データを作成する手順（ｆ）と、をさらに前記印刷データ処理システムに実行させ、前記段階（ａ）は、前記段階（ｆ）において作成された前記結合印刷データを前記情報処理装置から前記画像処理装置へ送信させる、上記（５）に記載のプログラム。
【００１５】
（７）前記手順（ｆ）は、前記結合印刷データのページごとに、前記原稿画像の印刷データを前記付加画像の印刷データよりも前記結合印刷データにおいて先頭近くに配置されるように前記結合印刷データを作成する、上記（６）に記載のプログラム。
【００１６】
（８）前記手順（ｃ）は、前記結合印刷データのページごとに、前記原稿画像の印刷データの色設定に基づいて、無彩色または有彩色のいずれかを判定し、前記手順（ｄ）は、前記手順（ｃ）において前記結合印刷データのページごとに判定された判定結果に基づいて、前記ページごとに前記付加画像用特色を前記無彩色の代替値または前記有彩色の代替値に変換する、上記（５）〜（７）のいずれか一項に記載のプログラム。
【００１７】
（９）上記（５）〜（８）のいずれか一項に記載のプログラムを記録したコンピュータ読み取り可能な記録媒体。
【００１８】
（１０）情報処理装置と画像処理装置とを有する印刷データ処理システムであって、前記情報処理装置は、原稿画像の印刷データと前記原稿画像に付加される付加画像の印刷データとが結合された結合印刷データであって、前記付加画像の印刷データの色設定は無彩色の代替色または有彩色の代替色のいずれにも変換可能な付加画像用特色によりなされた前記結合印刷データを、前記画像処理装置に送信する送信手段を有し、前記画像処理装置は、前記情報処理装置により送信された前記結合印刷データを受信する受信手段と、前記受信手段により受信された前記結合印刷データについて、前記原稿画像の印刷データの色設定に基づいて、無彩色または有彩色のいずれかを判定する判定手段と、前記判定手段により無彩色と判定された場合は、前記結合印刷データのうち前記付加画像の印刷データの色設定をなす前記付加画像用特色を前記付加画像用特色に対応する前記無彩色の代替色に変換し、有彩色と判定された場合は前記付加画像用特色を前記付加画像用特色に対応する前記有彩色の代替色に変換する色変換手段と、を有する印刷データ処理システム。
【００１９】
（１１）前記情報処理装置は、前記付加画像の印刷データの色設定を、前記付加画像の印刷データの色設定に対応する、前記付加画像用特色または複数の前記付加画像用特色の組合せにより置換する置換手段と、前記置換手段により前記付加画像の印刷データの色設定が置換された、前記付加画像の印刷データと、前記原稿画像の印刷データとを結合して前記結合印刷データを作成する結合印刷データ作成手段と、をさらに有し、前記送信手段は、前記結合印刷データ作成手段により作成された前記結合印刷データを前記画像形成装置に送信する、上記（１０）に記載の印刷データ処理システム。
【００２０】
（１２）前記結合印刷データ作成手段は、前記結合印刷データのページごとに、前記原稿画像の印刷データを前記付加画像の印刷データよりも前記結合印刷データにおいて先頭近くに配置されるように前記結合印刷データを作成する、上記（１１）に記載の印刷データ処理システム。
【００２１】
（１３）前記判定手段は、前記結合印刷データのページごとに、前記原稿画像の印刷データの色設定に基づいて、無彩色または有彩色のいずれかを判定し、前記色変換手段は、前記判定手段により前記結合印刷データのページごとに判定された判定結果に基づいて、前記ページごとに前記付加画像用特色を前記無彩色の代替値または前記有彩色の代替値に変換する、上記（１０）〜（１２）のいずれか一項に記載の印刷データ処理システム。
【発明の効果】
【００２２】
原稿画像の印刷データと付加画像の印刷データとが結合された結合印刷データにおいて、付加画像の印刷データの色設定をモノクロの代替色またはカラーの代替色のいずれにも変換可能な付加画像用特色により行う。そして、結合印刷データのラスタライズの際に、原稿画像がモノクロかカラーかを判定し、判定結果に基づいて、原稿画像と付加画像のモノクロ／カラー特性が一致するように付加画像の印刷データに色設定された付加画像用特色をモノクロの代替色またはカラーの代替色に変換する。これにより、原稿画像と付加画像とが一つの印刷データとなっていても、印刷データのラスタライズの際、原稿画像がモノクロかカラーかに応じて付加画像の色設定をモノクロまたはカラーに変換できる。従って、原稿画像に付加画像が合成されることによる印刷データ印刷速度の低下や意図しない課金の発生を防止できる。
【図面の簡単な説明】
【００２３】
【図１】本発明の第１実施形態に係る印刷データ処理システムを示すブロック図である。
【図２】ＰＣの構成を示すブロック図である。
【図３】付加画像用特色のデータを示す図である。
【図４】付加画像用特色を登録するための入力受付画面を示す図である。
【図５】ユーザーが印刷しようとする原稿画像の原データおよび付加画像の原データを指定するための画像指定画面を示す図である。
【図６】原稿画像と付加画像とを示す図である。
【図７】結合印刷データと、結合印刷データにおける原稿画像と付加画像のオブジェクトごとの色設定を示す説明図である。
【図８】画像処理装置の構成を示すブロック図である。
【図９】印刷データ処理システムによる印刷データの処理を示すフローチャートである。
【図１０】図９のステップＳ９０３のサブルーチンフローチャートである。
【００２４】
【図１１】図９のステップＳ９０４のサブルーチンフローチャートである。
【図１２】図１１のステップＳ１１０２のサブルーチンフローチャートである。
【図１３】印刷データ処理システムによる処理を示すフローチャートである。
【図１４】本発明の第３実施形態に係る印刷データ処理システムにおいて作成される結合印刷データの構成を示す説明図である。
【図１５】図９のステップＳ９０４のサブルーチンフローチャートである。
【発明を実施するための形態】
【００２５】
以下、図面を参照して、本発明の実施形態に係る印刷データ処理方法、印刷データ処理装置用プログラム、印刷データ処理装置用プログラムを記録したコンピュータ読取可能な記録媒体、および印刷データ処理システムについて詳細に説明する。
【００２６】
（第１実施形態）
図１は、本発明の第１実施形態に係る印刷データ処理システムを示すブロック図である。
【００２７】
図１に示すように、印刷データ処理システム１はＰＣ（Ｐｅｒｓｏｎａｌ  Ｃｏｍｐｕｔｅｒ）２０および画像処理装置１０を有する。なお、ＰＣ２０および画像処理装置１０の数は複数であってもよい。
【００２８】
ＰＣ２０は情報処理装置を構成する。
【００２９】
図１に示すように、ＰＣ２０と画像処理装置１０とはネットワーク３０を介して相互に通信可能に接続される。ネットワーク３０は、イーサネット（登録商標）、トークンリング、ＦＤＤＩ（Ｆｉｂｅｒ−Ｄｉｓｔｒｉｂｕｔｅｄ  Ｄａｔａ  Ｉｎｔｅｒｆａｃｅ）等の規格によりコンピュータやネットワーク機器同士を接続したＬＡＮ（Ｌｏｃａｌ  Ａｒｅａ  Ｎｅｔｗｏｒｋ）、あるいは、ＬＡＮ同士を専用線で接続したＷＡＮ（Ｗｉｄｅ  Ａｒｅａ  Ｎｅｔｗｏｒｋ）により構成されることができる。
【００３０】
ＰＣ２０は、原稿画像の原データおよび付加画像の原データをそれぞれ印刷データに変換することにより、原稿画像の印刷データおよび付加画像の印刷データを生成する。原稿画像の原データとは、原稿画像の印刷データに変換される前の原稿画像のデータである。付加画像の原データとは、付加画像の印刷データに変換される前の付加画像のデータである。
【００３１】
ＰＣ２０は、作成した付加画像の印刷データのオブジェクトごとの色設定を、画像処理装置１０において、モノクロ（無彩色）またはカラー（有彩色）のいずれにも変換可能な特色である付加画像用特色に置換する。特色とは、一般的に、印刷においてプロセスカラー（例えば、ＣＭＹＫ（Ｃｙａｎ、Ｍａｇｅｎｔａ、Ｙｅｌｌｏｗ、Ｂｌａｃｋ））では再現できない色をいう。そのため、ＣＭＹＫの比率の組合せ（以下、「ＣＭＹＫ値」と称する）で色を表現するプリンターでは、特色をあらかじめ指定されたＣＭＹＫ値で印刷を行う。なお、本明細書においては、特色には、指定されたＣＭＹＫ値により代替されて印刷が行われる色をも広く含むものとする。
【００３２】
ＰＣ２０は、原稿画像の印刷データと、色設定が付加画像用特色に置換された付加画像の印刷データとを結合する。これにより、ＰＣ２０は、原稿画像の印刷データと付加画像の印刷データとが結合された印刷データである結合印刷データを作成する。
【００３３】
付加画像とは、ユーザーが印刷しようとする原稿画像に付加されて原稿画像とともに印刷される画像をいう。付加画像は、例えば、結合印刷データが画像処理装置１０によりラスタライズされた日付やカラーバー等のラスタライズ設定情報であり、ユーザーは、原稿画像に付加されて印刷された付加画像により印刷の仕上がりを確認することができる。ラスタライズとは、印刷データを、画像処理装置１０に接続される図示しないプリンターにより画像の印刷が可能な画像データの形式（例えば、ビットマップ形式）に変換することをいう。
【００３４】
印刷データとは、画像処理装置１０による画像処理が可能な言語で記述された、印刷対象であるドキュメントのデータである。具体的には、印刷データは、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データであり得る。印刷データには、例えば、イメージデータ、ベクタデータ（グラフィックスデータ）、またはテキストデータといった各種オブジェクトのデータが含まれている。なお、以下の説明においては、説明を容易にするために、印刷データはＰＤＬデータであるものとして説明する。
【００３５】
結合印刷データは、印刷設定とともに印刷ジョブの一部としてＰＣ２０から画像処理装置１０へ送信される。ここで、印刷ジョブとは、画像処理装置１０、および画像処理装置１０に接続されるプリンターに対する印刷命令の総称である。印刷設定には、例えば、印刷するための用紙の指定、印刷を行わせるプリンターの指定等の情報が含まれる。
【００３６】
画像処理装置１０は、ＰＣ２０から結合印刷データを受信し、結合印刷データのラスタライズを行う。画像処理装置１０は、ラスタライズの際、結合印刷データの原稿画像がモノクロかカラーかの判定（以下、「モノクロ／カラー判定」と称する）を行う。そして、モノクロ／カラー判定結果に基づいて、原稿画像と付加画像のモノクロ／カラー特性が一致するように付加画像の印刷データであるＰＤＬデータの色設定をなす付加画像用特色をモノクロの代替色またはカラーの代替色に変換する。そして、画像処理装置１０は、ラスタライズを行った結合印刷データをプリンターに送信し、付加画像が付加された原稿画像の印刷をプリンターに行わせる。
【００３７】
図２は、ＰＣの構成を示すブロック図である。
【００３８】
図２に示すように、ＰＣ２０は、ＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、ＨＤＤ（Ｈａｒｄ  Ｄｉｓｋ  Ｄｒｉｖｅ）２０４、表示部２０５、入力部２０６、および通信部２０７を備えており、これらは信号をやり取りするためのバス２０８を介して相互に接続される。
【００３９】
ＣＰＵ２０１、ＲＡＭ２０２、ＲＯＭ２０３、およびＨＤＤ２０４は、置換手段および結合印刷データ作成手段を構成する。通信部２０７およびＣＰＵ２０１は、送信手段を構成する。
【００４０】
ＣＰＵ２０１は、プログラムに従って上記各部の制御や各種の演算処理を行う。
【００４１】
ＲＡＭ２０２は、作業領域として一時的にプログラムやデータを記憶する。
【００４２】
ＲＯＭ２０３は、各種プログラムや各種データを保存する。
【００４３】
ＨＤＤ２０４は、結合印刷データ作成プログラム、オペレーティングシステム、その他の各種プログラムを保存する。また、ＨＤＤ２０４は、原稿画像および付加画像の各原データ、付加画像用特色のデータ、原稿画像および付加画像の各ＰＤＬデータ、結合印刷データ、その他の各種データを保存する。
【００４４】
結合印刷データ作成プログラムとは、結合印刷データを作成するためのプログラムである。付加画像用特色のデータとは、付加画像用特色の特色名と、モノクロ代替ＣＭＹＫ値およびカラー代替ＣＭＹＫ値の少なくともいずれかとの組合せのデータである。ここで、モノクロ代替ＣＭＹＫ値とは、付加画像のラスタライズの際、付加画像の色設定である付加画像用特色に対し置換可能なモノクロのＣＭＹＫ値である。カラー代替ＣＭＹＫ値とは、付加画像のラスタライズの際、付加画像の色設定である付加画像用特色に対し置換可能なカラーのＣＭＹＫ値である。
【００４５】
図３は、付加画像用特色のデータを示す図である。
【００４６】
図３に示すように、付加画像用特色は、一つの特色名について、モノクロ代替ＣＭＹＫ値およびカラー代替ＣＭＹＫ値の二つの代替ＣＭＹＫ値を有することができる。
【００４７】
ＨＤＤ２０４に、付加画像用特色の特色名と、カラー代替ＣＭＹＫ値との組合せが付加画像用特色のデータとして保存されることで、付加画像用特色がＰＣ２０に登録される。なお、ＨＤＤ２０４には、付加画像用特色の特色名と、モノクロ代替ＣＭＹＫ値との組合せがさらに保存されてもよい。
【００４８】
表示部２０５は、例えば液晶ディスプレイであり、各種の情報を表示する。
【００４９】
入力部２０６は、例えばマウスといったポインティングデバイスやキーボードを含み、各種の操作、入力を行うために使用される。
【００５０】
通信部２０７は、外部機器と通信するためのインターフェースであり、イーサネット（登録商標）、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）、ＰＣＩ Ｅｘｐｒｅｓｓ、ＵＳＢ、ＩＥＥＥ１３９４等の規格によるネットワークインターフェース、ＢＬＵＥＴＯＯＴＨ（登録商標）、ＩＥＥＥ８０２．１１等の無線通信インターフェース、電話回線に接続するための電話回線インターフェース等を利用することができる。
【００５１】
ＰＣ２０は、上述した構成を有することにより以下のように作用する。
【００５２】
ＣＰＵ２０１は、結合印刷データ作成プログラムに従い、付加画像用特色の入力受付画面を表示部２０５に表示させる。
【００５３】
図４は、付加画像用特色を登録するための入力受付画面を示す図である。
【００５４】
図４に示すように、ユーザーは付加画像用特色を登録するための入力受付画面において、付加画像用特色の特色名に対応するモノクロ代替ＣＭＹＫ値を設定することができる。なお、図４に示す例においては、カラー代替ＣＭＹＫ値は特色名に対応してあらかじめ設定されており、ユーザーによるカラー代替ＣＭＹＫ値の変更はできないようになっている。これは、例えば、付加画像がカラーで印刷される場合、付加画像用特色のうち特色名がＳｙｓＣｏｌ１のオブジェクトについては、オブジェクトをシアン単色で色設定されることが当初より意図されているからである。ただし、ユーザーによりカラー代替ＣＭＹＫ値の変更ができるようにしてもよいことは勿論である。
【００５５】
ＣＰＵ２０１は、付加画像用特色の入力受付画面にユーザーにより入力された付加画像用特色をＨＤＤ２０４に保存することによりＰＣ２０において付加画像用特色を登録するとともに、付加画像用特色を画像処理装置１０に送信して画像処理装置１０において登録させる。ＰＣ２０には、付加画像用特色の特色名と、カラー代替ＣＭＹＫ値との組合せが付加画像用特色として登録される。画像処理装置１０には、付加画像用特色の特色名と、モノクロ代替ＣＭＹＫ値との組合せが付加画像用特色として登録される。
【００５６】
ＣＰＵ２０１は、結合印刷データ作成プログラムに従い、ユーザーにより指定された原稿画像の原データおよび付加画像の原データをそれぞれＰＤＬデータに変換することにより、原稿画像のＰＤＬデータおよび付加画像のＰＤＬデータを生成する。
【００５７】
図５は、ユーザーが印刷しようとする原稿画像の原データおよび付加画像の原データを指定するための画像指定画面を示す図である。
【００５８】
図５に示すように、ＣＰＵ２０１が結合印刷データ作成プログラムに従い表示部２０５に表示させた画像指定画面において、ユーザーは、印刷しようとする原稿画像の原データおよび付加画像の原データをそれぞれ指定することができる。図５の例においては、画像指定画面の原稿画像の入力ボックスに原稿画像の原データであるＰＤＦデータの指定が入力されることによりユーザーが印刷しようとする原稿画像の原データが指定されている。また、画像指定画面の付加画像の入力ボックスに付加画像の原データであるＰＤＦデータの指定が入力されることにより付加画像の原データが指定されている。
【００５９】
図６は、原稿画像と付加画像とを示す図である。
【００６０】
図６の例においては、付加画像は、複数のベクタデータのオブジェクトからなるカラーバーと、テキストデータのオブジェクトである日付とにより構成されている。また、原稿画像は、「足元注意」というテキストデータのオブジェクトと、ベクタデータのオブジェクトである警告マークとにより構成されている。
【００６１】
ＣＰＵ２０１は、結合印刷データ作成プログラムに従い、生成した付加画像のＰＤＬデータのオブジェクトごとの色設定を、付加画像のＰＤＬデータにおけるオブジェクトごとの色設定に対応する付加画像用特色に置換する。この際、付加画像のオブジェクトごとの色設定は、付加画像用特色の特色名およびカラー代替ＣＭＹＫ値の組合せからなる付加画像用特色に置換される。さらに、ＣＰＵ２０１は、原稿画像のＰＤＬデータを生成し、生成した原稿画像のＰＤＬデータと、各オブジェクトの色設定が付加画像用特色に置換された付加画像のＰＤＬデータとを結合して結合印刷データを作成する。
【００６２】
図７は、結合印刷データと、結合印刷データにおける原稿画像および付加画像のオブジェクトごとの色設定を示す説明図である。
【００６３】
図７のＢに示すように、原稿画像のＰＤＬデータに続いて付加画像のＰＤＬデータが記述されることにより、原稿画像のＰＤＬデータと付加画像のＰＤＬデータが結合され、結合印刷データが構成されている。本図に示されている結合印刷データは付加画像のオブジェクトごとの色設定が付加画像用特色によりなされている。すなわち、付加画像のＰＤＬデータの色設定が、付加画像用特色の特色名およびカラー代替ＣＭＹＫ値の組合せによりなされている。
【００６４】
図７のＡに示すように、付加画像をなすカラーバー７００は、４つのオブジェクトにより構成されている。各オブジェクトは、それぞれ色設定が特色名（ＳｙｓＣｏｌ０１、ＳｙｓＣｏｌ０２、ＳｙｓＣｏｌ０３、ＳｙｓＣｏｌ０４）とカラー代替ＣＭＹＫ値による付加画像特色との組合せにより色設定がされている。一方、原稿画像の色設定は、ＣＭＹＫ値（Ｃｙａｎ＝０％、Ｍａｇｅｎｔａ＝１００％、Ｙｅｌｌｏｗ＝１００％、Ｂｌａｃｋ＝０％）によりなされている。なお、原稿画像の色設定は付加画像用特色以外の特色によりなされてもよい。
【００６５】
ＣＰＵ２０１は、結合印刷データを通信部２０７から画像処理装置１０に送信する。
【００６６】
図８は、画像処理装置の構成を示すブロック図である。
【００６７】
図８に示すように、画像処理装置１０は、ＣＰＵ１０１、ＲＡＭ１０２、ＲＯＭ１０３、ＨＤＤ１０４、および通信部１０５を有する。これらは信号をやり取りするためのバス１０６を介して相互に接続される。
【００６８】
画像処理装置１０は、例えばコントローラーにより構成され、その基本構成は、ＰＣ２０の基本構成と同様である。従って、ＰＣ２０と重複する基本構成の基本的な機能については説明を省略する。
【００６９】
ＣＰＵ１０１および通信部１０５は受信手段を構成する。ＣＰＵ１０１、ＲＡＭ１０２、ＲＯＭ１０３、およびＨＤＤ１０４は判定手段を構成する。
【００７０】
ＨＤＤ１０４は、ラスタライズプログラム、色変換プログラム、モノクロ／カラー判定プログラム、付加画像用特色登録プログラム、その他の各種プログラムを保存する。また、ＨＤＤ１０４は、付加画像用特色のデータ、結合印刷データ、その他の各種データを保存する。
【００７１】
ラスタライズプログラムは、ＰＣ１０から受信した結合印刷データを解釈し、ラスタライズを行うプログラムである。
【００７２】
色変換プログラムは、ラスタライズプログラムの要求に基づき、結合印刷データの色変換を行うプログラムである。
【００７３】
モノクロ／カラー判定プログラムは、ラスタライズプログラムの要求に基づき、色変換された結合印刷データのうち原稿画像のＰＤＬデータについてモノクロかカラーかの判定を行うプログラムである。
【００７４】
付加画像用特色登録プログラムは、付加画像用特色を画像処理装置１０に登録するプログラムである。
【００７５】
画像処理装置１０は、上述した構成を有することにより以下のように作用する。
【００７６】
ＣＰＵ１０１は、付加画像用特色登録プログラムに従い、ＰＣ１０から受信した、付加画像用特色の特色名と、モノクロ代替ＣＭＹＫ値との組合せからなる付加画像用特色のデータをＨＤＤ１０４に保存させることにより、付加画像用特色を画像処理装置１０に登録する。
【００７７】
ＣＰＵ１０１は、ラスタライズプログラムに従い、ＰＣ２０から通信部１０５により受信された結合印刷データのラスタライズを行う。
【００７８】
ＣＰＵ１０１は、結合印刷データのラスタライズの際、ラスタライズプログラムおよびモノクロ／カラー判定プログラムに従い、結合印刷データについて、原稿画像のＰＤＬデータの色設定に基づいて、モノクロまたはカラーのいずれかを判定する。ＣＰＵ１０１は、原稿画像のＰＤＬデータの色設定に基づいて、モノクロと判定した場合は、付加画像のＰＤＬデータのオブジェクトごとの色設定をなす付加画像用特色を当該付加画像用特色に対応するモノクロの代替色に変換する。すなわち、ＣＰＵ１０１は、付加画像のＰＤＬデータのオブジェクトごとの色設定（特色名およびカラー代替ＣＭＹＫ値の組合せからなる付加画像用特色による）を登録された付加画像用特色のデータを参照して、付加画像用特色に対応するモノクロ代替ＣＭＹＫ値に置換する。その際、ＣＰＵ１０１は、付加画像のＰＤＬデータのオブジェクトごとの色設定のうち、特色名に基づいて、付加画像用特色に対応するモノクロ代替ＣＭＹＫ値を決定することができる。
【００７９】
一方、ＣＰＵ１０１は、原稿画像のＰＤＬデータの色設定に基づいて、カラーと判定した場合は、付加画像のＰＤＬデータのオブジェクトごとの色設定をなす付加画像用特色を当該付加画像用特色に対応するカラーの代替色に変換する。すなわち、ＣＰＵ１０１は、付加画像のＰＤＬデータのオブジェクトごとの色設定をカラー代替ＣＭＹＫ値に置換する。すなわち、ＣＰＵ１０１は、付加画像のＰＤＬデータのオブジェクトごとの色設定のうち、カラー代替ＣＭＹＫ値のみを残すことにより付加画像のＰＤＬデータのオブジェクトごとの色設定をカラー代替ＣＭＹＫ値に変換することができる。
【００８０】
ＣＰＵ１０１は、ラスタライズを行った結合印刷データをプリンターに送信し、付加画像が付加された原稿画像の印刷をプリンターに行わせる。
【００８１】
図９は、印刷データ処理システムによる印刷データの処理を示すフローチャートである。本フローチャートは、ＰＣ２０および画像処理装置１０にそれぞれインストールされたプログラムにより実施されることができる。
【００８２】
ＰＣ２０のＣＰＵ２０１は、付加画像用特色を登録するための入力受付画面（図４参照）を表示部２０５に表示させ、ユーザーによる付加画像用特色のデータの入力を受け付ける（Ｓ９０１）。
【００８３】
ＰＣ２０のＣＰＵ２０１は、ユーザーにより入力された付加画像用特色のデータをＨＤＤ２０４に保存することにより、付加画像用特色をＰＣ２０に登録する。具体的には、ＣＰＵ２０１は、付加画像用特色のデータである、付加画像用特色の特色名とカラー代替ＣＭＹＫ値との組合せをＨＤＤ２０４に保存することにより、付加画像用特色をＰＣ２０に登録する。
【００８４】
さらに、ＰＣ２０のＣＰＵ２０１は、ユーザーにより入力された付加画像用特色のデータを、通信部２０７から画像処理装置１０に送信する。画像処理装置１０は、ＰＣ２０から受信した付加画像用特色のデータをＨＤＤ１０４に保存することにより、付加画像用特色を画像処理装置１０に登録する。具体的には、ＰＣ２０のＣＰＵ２０１は、付加画像用特色データである、付加画像用特色の特色名とモノクロ代替ＣＭＹＫ値との組合せを画像処理装置１０に送信する。画像処理装置１０のＣＰＵ１０１は、ＰＣ２０から受信した、付加画像用特色の特色名とモノクロ代替ＣＭＹＫ値との組合せをＨＤＤ１０４に保存することにより、付加画像用特色を画像処理装置１０に登録する（Ｓ９０２）。
【００８５】
ＰＣ２０のＣＰＵ２０１は、結合印刷データを生成する（Ｓ９０３）。
【００８６】
図１０は、図９のステップＳ９０３のサブルーチンフローチャートである。
【００８７】
ＰＣ２０のＣＰＵ２０１は、表示部２０５に表示させた画像指定画面においてユーザーにより入力された原稿画像の原データおよび付加画像の原データの指定を受け付ける（Ｓ１００１）。
【００８８】
ＣＰＵ２０１は、指定された原稿画像の原データをＰＤＬデータに変換することで原稿画像のＰＤＬデータを生成し（Ｓ１００２）、付加画像の原データをＰＤＬデータに変換することで付加画像のＰＤＬデータを生成する（Ｓ１００３）。
【００８９】
ＣＰＵ２０１は、付加画像のＰＤＬデータにおいて先頭に記述されたオブジェクトを選択する（Ｓ１００４）。そして、ＣＰＵ２０１は、選択したオブジェクト（以下、「被選択オブジェクト」と称する）が、付加画像のＰＤＬデータにおいて末尾に記述されたオブジェクトではない場合は（Ｓ１００５：ＮＯ）、ステップＳ１００６〜ステップＳ１０１０を実行することにより、付加画像のＰＤＬデータのオブジェクトごとの色設定を、当該付加画像のＰＤＬデータの色設定に対応する付加画像用特色または複数の付加画像用特色の組合せにより置換する。ステップＳ１００６〜ステップＳ１０１０は、付加画像のＰＤＬデータのすべてのオブジェクトについて実行される。
【００９０】
ＣＰＵ２０１は、被選択オブジェクトの色設定のシアン成分をカラー代替ＣＭＹＫ値が（Ｃ，Ｍ，Ｙ，Ｋ）＝（１００％，０％，０％，０％）である付加画像用特色に置換する（Ｓ１００６）。具体的には、被選択オブジェクトの色設定が（Ｃ，Ｍ，Ｙ，Ｋ）＝（１００％，０％，０％，０％）である場合は、カラー代替ＣＭＹＫ値が（Ｃ，Ｍ，Ｙ，Ｋ）＝（１００％，０％，０％，０％）である付加画像用特色（すなわち、特色名ＳｙｓＣｏｌ１とカラー代替ＣＭＹＫ値（Ｃ，Ｍ，Ｙ，Ｋ）＝（１００％，０％，０％，０％）との組合せ）に置換される。
【００９１】
ＣＰＵ２０１は、被選択オブジェクトの色設定のマゼンタ成分をカラー代替ＣＭＹＫ値が（Ｃ，Ｍ，Ｙ，Ｋ）＝（０％，１００％，０％，０％）である付加画像用特色に置換する（Ｓ１００７）。具体的には、被選択オブジェクトの色設定が（Ｃ，Ｍ，Ｙ，Ｋ）＝（％，１００％，０％，０％）である場合は、カラー代替ＣＭＹＫ値が（Ｃ，Ｍ，Ｙ，Ｋ）＝（０％，１００％，０％，０％）である付加画像用特色（すなわち、特色名ＳｙｓＣｏｌ２とカラー代替ＣＭＹＫ値（Ｃ，Ｍ，Ｙ，Ｋ）＝（０％，１００％，０％，０％）との組合せ）に置換される。
【００９２】
ＣＰＵ２０１は、被選択オブジェクトの色設定のイエロー成分をカラー代替ＣＭＹＫ値が（Ｃ，Ｍ，Ｙ，Ｋ）＝（０％，０％，１００％，０％）である付加画像用特色に置換する（Ｓ１００８）。具体的には、被選択オブジェクトの色設定が（Ｃ，Ｍ，Ｙ，Ｋ）＝（％，０％，１００％，０％）である場合は、カラー代替ＣＭＹＫ値が（Ｃ，Ｍ，Ｙ，Ｋ）＝（０％，０％，１００％，０％）である付加画像用特色（すなわち、特色名ＳｙｓＣｏｌ３とカラー代替ＣＭＹＫ値（Ｃ，Ｍ，Ｙ，Ｋ）＝（０％，０％，１００％，０％）との組合せ）に置換される。
【００９３】
ＣＰＵ２０１は、被選択オブジェクトの色設定のブラック成分をカラー代替ＣＭＹＫ値が（Ｃ，Ｍ，Ｙ，Ｋ）＝（０％，０％，０％，１００％）である付加画像用特色に置換する（Ｓ１００９）。具体的には、被選択オブジェクトの色設定が（Ｃ，Ｍ，Ｙ，Ｋ）＝（％，０％，０％，１００％）である場合は、カラー代替ＣＭＹＫ値が（Ｃ，Ｍ，Ｙ，Ｋ）＝（０％，０％，０％，１００％）である付加画像用特色（すなわち、特色名ＳｙｓＣｏｌ４とカラー代替ＣＭＹＫ値（Ｃ，Ｍ，Ｙ，Ｋ）＝（０％，０％，０％，１００％）との組合せ）に置換される。
【００９４】
なお、例えば、被選択オブジェクトの色設定が（Ｃ，Ｍ，Ｙ，Ｋ）＝（１００％，１００％，０％，０％）である場合は、次のように付加画像用特色に置換される。すなわち、被選択オブジェクトの色設定は、ステップＳ１００６において、被選択オブジェクトの色設定のマゼンタ成分が、カラー代替ＣＭＹＫ値が（Ｃ，Ｍ，Ｙ，Ｋ）＝（１００％，０％，０％，０％）である付加画像用特色に置換される。さらに、ステップＳ１００７において、被選択オブジェクトの色設定のマゼンタ成分が、カラー代替ＣＭＹＫ値が（Ｃ，Ｍ，Ｙ，Ｋ）＝（０％，１００％，０％，０％）である付加画像用特色に置換される。従って、被選択オブジェクトの色設定が（Ｃ，Ｍ，Ｙ，Ｋ）＝（１００％，１００％，０％，０％）である場合は、当該色設定が特色名ＳｙｓＣｏｌ１とカラー代替ＣＭＹＫ値（Ｃ，Ｍ，Ｙ，Ｋ）＝（１００％，０％，０％，０％）との組合せ、および、特色名ＳｙｓＣｏｌ２とカラー代替ＣＭＹＫ値（Ｃ，Ｍ，Ｙ，Ｋ）＝（０％，１００％，０％，０％）との組合せに置換される。
【００９５】
ＣＰＵ２０１は、付加画像のＰＤＬデータにおいて被選択オブジェクトの次に記述されたオブジェクトを次の被選択オブジェクトとして選択する（Ｓ１０１０）。
【００９６】
ＣＰＵ２０１は、被選択オブジェクトが付加画像のＰＤＬデータにおいて末尾に記述されたオブジェクトである場合は（Ｓ１００５：ＹＥＳ）、原稿画像のＰＤＬデータと、付加画像のＰＤＬデータとを結合する。これにより、ＣＰＵ２０１は、結合印刷データを生成する（Ｓ１０１１）。ステップＳ１０１１において原稿画像のＰＤＬデータと結合される付加画像のＰＤＬデータは、すべてのオブジェクトの色設定が付加画像用特色に置換されている。
【００９７】
ＣＰＵ２０１は、通信部２０７に、生成した結合印刷データを画像処理装置１０へ送信させる（Ｓ１０１２）。
【００９８】
図９に戻り、画像処理装置１０は、ＰＣ２０から受信した結合印刷データをラスタライズすることにより、プリンターに出力して印刷させるための画像データを生成する（Ｓ９０４）。
【００９９】
図１１は、図９のステップＳ９０４のサブルーチンフローチャートである。
【０１００】
画像処理装置１０のＣＰＵ１０１は、通信部１０５に、ＰＣ２０から送信された結合印刷データを受信させる（Ｓ１１０１）。
【０１０１】
ＣＰＵ１０１は、受信された結合印刷データについて、原稿画像のＰＤＬデータの色設定に基づいてモノクロ／カラー判定を行う（Ｓ１１０２）。
【０１０２】
図１２は、図１１のステップＳ１１０２のサブルーチンフローチャートである。
【０１０３】
ＣＰＵ１０１は、モノクロ／カラー判定結果の初期値として、モノクロの判定結果をＨＤＤ１０４に保存する（Ｓ１２０１）。
【０１０４】
ＣＰＵ１０１は、結合印刷データであるＰＤＬデータにおいて先頭に記述されたオブジェクトを選択する（Ｓ１２０２）。なお、ステップＳ１２０２で選択される被選択オブジェクトには、結合印刷データに含まれる原稿画像のＰＤＬデータにおいて記述されたオブジェクト、および付加画像のＰＤＬデータにおいて記述されたオブジェクトの両方が含まれる。
【０１０５】
ＣＰＵ１０１は、被選択オブジェクトが、結合印刷データであるＰＤＬデータにおいて末尾に記述されているオブジェクトかどうか判断する（Ｓ１２０３）。
【０１０６】
ＣＰＵ１０１は、被選択オブジェクトが結合印刷データであるＰＤＬデータにおいて末尾に記述されているオブジェクトではないと判断したときは（Ｓ１２０３：ＮＯ）、ステップＳ１２０４〜ステップＳ１２１１を実行する。これにより、原稿画像のＰＤＬデータのオブジェクトの色設定に基づいてモノクロ／カラー判定がなされる。ステップＳ１２０４〜ステップＳ１２１１は、結合印刷データであるＰＤＬデータのすべてのオブジェクトについて実行される。ＣＰＵ１０１は、被選択オブジェクトが結合印刷データであるＰＤＬデータにおいて末尾に記述されているオブジェクトであると判断したときは（Ｓ１２０３：ＹＥＳ）、本サブルーチンフローチャートを終了する。
【０１０７】
ＣＰＵ１０１は、被選択オブジェクトの色設定を解析し（Ｓ１２０４）、被選択オブジェクトの色設定に基づいて、被選択オブジェクトの色が特色かどうか判断する（Ｓ１２０５）。ＣＰＵ１０１は、被選択オブジェクトの色が特色ではないと判断したときは（Ｓ１２０５：ＮＯ）、被選択オブジェクトを所定の方法で色変換する（Ｓ１２０８）。すなわち、例えば、ＣＰＵ１０１は、被選択オブジェクトの色設定のＣＭＹＫ値を、あらかじめＨＤＤ１０４に保存したＬＵＴ（Ｌｏｏｋ  Ｕｐ  Ｔａｂｌｅ）により色補正を行う色変換を行う。なお、被選択オブジェクトの色が特色ではない場合は、被選択オブジェクトは、少なくとも付加画像用特色による色設定がされていないので、当該被選択オブジェクトは原稿画像のＰＤＬデータのオブジェクトに該当する。
【０１０８】
ＣＰＵ１０１は、被選択オブジェクトの色が特色であると判断したときは（Ｓ１２０５：ＹＥＳ）、特色が付加画像用特色かどうか判断する（Ｓ１２０６）。特色が付加画像用特色かどうかは、被選択オブジェクトの色設定において付加画像用特色の特色名が含まれているかどうかにより判断されることができる。
【０１０９】
ＣＰＵ１０１は、被選択オブジェクトの色が付加画像用特色ではないと判断したときは（Ｓ１２０６：ＮＯ）、被選択オブジェクトの特色を、所定の方法で、指定されたＣＭＹＫ値に変換する。すなわち、例えば、ＣＰＵ１０１は、被選択オブジェクトの色設定の特色を、あらかじめＨＤＤ１０４に保存した、特色名とＣＭＹＫ値との対応表に基づいて被選択オブジェクトの特色をＣＭＹＫ値に変換する。なお、ステップＳ１２０６において被選択オブジェクトの色が付加画像用特色ではないと判断された場合は、被選択オブジェクトは原稿画像のＰＤＬデータのオブジェクトに該当する。一方、被選択オブジェクトの色が付加画像用特色であると判断された場合は、被選択オブジェクトは付加画像のＰＤＬデータのオブジェクトに該当する。
【０１１０】
ＣＰＵ１０１は、ステップＳ１２０８において色変換された原稿画像のＰＤＬデータの被選択オブジェクトのＣＭＹＫ値、およびステップＳ１２０８において変換された原稿画像のＰＤＬデータの被選択オブジェクトのＣＭＹＫ値において、Ｃ値、Ｍ値、およびＹ値が０％かどうか判断する（Ｓ１２０９）。当該被選択オブジェクトのＣ値、Ｍ値、およびＹ値の少なくともいずれかが０％ではない場合（Ｓ１２０９：Ｎｏ）は、原稿画像の当該被選択オブジェクトの色はカラーである。従って、この場合は、ＣＰＵ１０１は、ＨＤＤ１０４に保存されたモノクロ／カラー判定結果をカラーに書き換える（Ｓ１２１０）。なお、原稿画像のＰＤＬデータのオブジェクトについて、ステップＳ１２０８における色変換またはステップＳ１２０７における変換の後にモノクロ／カラー判定をするのは、印刷の際の原稿画像の最終的な色設定であるＣＭＹＫ値についてモノクロ／カラー判定をする必要があるからである。
【０１１１】
ＣＰＵ１０１は、原稿画像のＰＤＬデータの被選択オブジェクトの色変換後のＣＭＹＫ値において、Ｃ値、Ｍ値、およびＹ値のいずれも０％であると判断したときは（Ｓ１２０９：ＹＥＳ）、原稿画像の当該被選択オブジェクトの色はモノクロである。従って、この場合は、ＣＰＵ１０１は、ＨＤＤ１０４に保存されたモノクロ／カラー判定結果を書き換えずに初期値であるモノクロの判定結果を維持する。
【０１１２】
ＣＰＵ１０１は、結合印刷データであるＰＤＬデータにおいて現在の被選択オブジェクトの次に記述されたオブジェクトを次の被選択オブジェクトとして選択する（Ｓ１２１１）。
【０１１３】
なお、結合印刷データであるＰＤＬデータが複数のページからなる場合は、ページごとに、原稿画像のＰＤＬデータのすべてのオブジェクトについてモノクロ／カラー判定を行う。すなわち、一のページに含まれる原稿画像のオブジェクトのうちいずれかがカラーと判定された場合は、そのページのモノクロ／カラー判定はカラーとなる。一方、他のページに含まれる原稿画像のオブジェクトのすべてがモノクロと判定された場合は、そのページのモノクロ／カラー判定はモノクロとなる。
【０１１４】
図１１に戻り、ＣＰＵ１０１は、結合印刷データであるＰＤＬデータにおいて先頭に記述されたオブジェクトを選択する（Ｓ１１０３）。なお、ステップＳ１１０３で選択される被選択オブジェクトには、結合印刷データに含まれる原稿画像のＰＤＬデータにおいて記述されているオブジェクト、および付加画像のＰＤＬデータにおいて記述されているオブジェクトの両方が含まれる。
【０１１５】
ＣＰＵ１０１は、被選択オブジェクトが、結合印刷データであるＰＤＬデータにおいて末尾に記述されているオブジェクトかどうか判断する（Ｓ１１０４）。
【０１１６】
ＣＰＵ１０１は、被選択オブジェクトが結合印刷データであるＰＤＬデータにおいて末尾に記述されているオブジェクトではないと判断したときは（Ｓ１１０４：ＮＯ）、ステップＳ１１０５〜ステップＳ１１１４を実行する。これにより、結合印刷データのラスタライズがなされる。ステップＳ１１０５〜ステップＳ１１１４は、結合印刷データであるＰＤＬデータのすべてのオブジェクトについて実行される。ＣＰＵ１０１は、被選択オブジェクトが結合印刷データであるＰＤＬデータにおいて末尾に記述されているオブジェクトであると判断したときは（Ｓ１１０４：ＹＥＳ）、本サブルーチンフローチャートを終了する。
【０１１７】
ＣＰＵ１０１は、被選択オブジェクトの色設定を解析し（Ｓ１１０５）、被選択オブジェクトの色設定に基づいて、被選択オブジェクトの色が特色かどうか判断する（Ｓ１１０６）。ＣＰＵ１０１は、被選択オブジェクトの色が特色ではないと判断したときは（Ｓ１１０６：ＮＯ）、被選択オブジェクトを所定の方法で色変換する（Ｓ１１１１）。すなわち、例えば、ＣＰＵ１０１は、被選択オブジェクトの色設定のＣＭＹＫ値を、あらかじめＨＤＤ１０４に保存したＬＵＴにより色補正を行う色変換を行う。なお、被選択オブジェクトの色が特色ではない場合は、被選択オブジェクトは、少なくとも付加画像用特色による色設定がされていないので、当該被選択オブジェクトは原稿画像のＰＤＬデータのオブジェクトに該当する。
【０１１８】
ＣＰＵ１０１は、被選択オブジェクトの色が特色であると判断したときは（Ｓ１１０６：ＹＥＳ）、特色が付加画像用特色かどうか判断する（Ｓ１１０７）。特色が付加画像用特色かどうかは、被選択オブジェクトの色設定において付加画像用特色の特色名が含まれているかどうかにより判断されることができる。
【０１１９】
ＣＰＵ１０１は、被選択オブジェクトの色が付加画像用特色ではないと判断したときは（Ｓ１１０７：ＮＯ）、被選択オブジェクトの特色を、所定の方法で、指定されたＣＭＹＫ値に変換する（Ｓ１１１２）。すなわち、例えば、ＣＰＵ１０１は、被選択オブジェクトの色設定の特色を、あらかじめＨＤＤ１０４に保存した、特色名とＣＭＹＫ値の対応表に基づいて被選択オブジェクトの特色をＣＭＹＫ値に変換する。なお、ステップＳ１１０７において被選択オブジェクトの色が付加画像用特色ではないと判断された場合は、被選択オブジェクトは原稿画像のＰＤＬデータのオブジェクトに該当する。一方、被選択オブジェクトの色が付加画像用特色であると判断された場合は、被選択オブジェクトは付加画像のＰＤＬデータのオブジェクトに該当する。
【０１２０】
ＣＰＵ１０１は、被選択オブジェクトの色が付加画像用特色であると判断したときは（Ｓ１１０７：ＹＥＳ）、ステップＳ１１０８〜ステップＳ１１１０により、被選択オブジェクトである付加画像のオブジェクトの付加画像用特色をモノクロ代替ＣＭＹＫ値またはカラー代替ＣＭＹＫ値に変換する。付加画像のオブジェクトの付加画像用特色のモノクロ代替ＣＭＹＫ値またはカラー代替ＣＭＹＫ値への変換は、ステップＳ１１０２においてＨＤＤ１０４に保存された、原稿画像のＰＤＬデータのモノクロ／カラー判定結果に基づいて行われる（Ｓ１１０８）。
【０１２１】
ＣＰＵ１０１は、原稿画像のＰＤＬデータのモノクロ／カラー判定結果において、被選択オブジェクトである付加画像のオブジェクトが付加される原稿画像がカラーと判定されている場合は（Ｓ１１０８：ＹＥＳ）、被選択オブジェクトの付加画像用特色をカラー代替ＣＭＹＫ値に変換する（Ｓ１１０９）。一方、ＣＰＵ１０１は、被選択オブジェクトである付加画像のオブジェクトが付加される原稿画像がモノクロと判定されている場合は（Ｓ１１０８：ＮＯ）、被選択オブジェクトの付加画像用特色をモノクロ代替ＣＭＹＫ値に変換する（Ｓ１１１０）。
【０１２２】
ＣＰＵ１０１は、ステップＳ１１１１において色変換された被選択オブジェクト、および、ステップＳ１１１２、ステップＳ１１０９、ステップＳ１１１０において色設定が変換された被選択オブジェクトのラスタライズを行う（Ｓ１１１３）。
【０１２３】
ＣＰＵ２０１は、結合印刷データであるＰＤＬデータにおいて被選択オブジェクトの次に記述されたオブジェクトを次の被選択オブジェクトとして選択する（Ｓ１１１４）。
【０１２４】
ＣＰＵ１０１は、結合印刷データであるＰＤＬデータのすべてのオブジェクトについてステップＳ１１０５〜ステップＳ１１１３を実施することにより、結合印刷データのすべてのオブジェクトについてラスタライズを行う。
【０１２５】
なお、結合印刷データであるＰＤＬデータが複数のページからなる場合は、ページごとに、原稿画像のＰＤＬデータのモノクロ／カラー判定結果に基づき、付加画像のＰＤＬデータがモノクロ代替ＣＭＹＫ値またはカラー代替ＣＭＹＫ値に変換され、ラスタライズが行われる。
【０１２６】
ＣＰＵ１０１は、結合印刷データをラスタライズすることにより生成した画像データをプリンターに送信して、付加画像が付加された原稿画像の印刷を行わせる。
【０１２７】
本実施形態は、以下の効果を奏する。
【０１２８】
原稿画像のＰＤＬデータと付加画像のＰＤＬデータとが結合された結合印刷データにおいて、付加画像のＰＤＬデータの色設定をモノクロの代替色またはカラーの代替色のいずれにも変換可能な特色により行う。そして、結合印刷データのラスタライズの際に、原稿画像がモノクロかカラーかを判定し、判定結果に基づいて原稿画像と付加画像のモノクロ／カラー特性が一致するように付加画像のＰＤＬデータに色設定された特色をモノクロの代替色またはカラーの代替色に変換する。これにより、原稿画像と付加画像とが一つのＰＤＬデータとなっていても、原稿画像に付加画像が合成されることによる印刷速度の低下やユーザーが意図しない課金の発生を防止することができる。
【０１２９】
（第２実施形態）
本発明の第２実施形態に係る印刷データ処理方法、印刷データ処理装置用プログラム、印刷データ処理装置用プログラムを記録したコンピュータ読取可能な記録媒体、および印刷データ処理システムについて説明する。
【０１３０】
本実施形態と上述した第１実施形態とで異なる点は次の点である。すなわち、第１実施形態は、ＰＣ２０において結合印刷データを作成し、作成された結合印刷データを画像処理装置１０に送信するのに対し、本実施形態は、すでに作成された結合印刷データをＰＣ２０から画像処理装置１０へ送信する点である。これ以外の点については、本実施形態は第１実施形態と同様であるため、重複となる説明は省略または簡略化する。
【０１３１】
図１３は、印刷データ処理システムによる処理を示すフローチャートである。本フローチャートは、ＰＣ２０および画像処理装置１０にそれぞれインストールされたプログラムにより実施されることができる。
【０１３２】
ＰＣ２０のＣＰＵ２０１は、付加画像用特色の入力受付画面（図４参照）を表示部２０５に表示させ、ユーザーによる付加画像用特色のデータの入力を受け付ける（Ｓ１３０１）。
【０１３３】
ＰＣ２０のＣＰＵ２０１は、ユーザーにより入力された付加画像用特色のデータを、通信部２０７から画像処理装置１０に送信する。画像処理装置１０は、ＰＣ２０から受信した付加画像用特色のデータをＨＤＤ１０４に保存することにより、付加画像用特色を画像処理装置１０に登録する。具体的には、ＰＣ２０のＣＰＵ２０１は、付加画像用特色データである、付加画像用特色の特色名と、モノクロ代替ＣＭＹＫ値との組合せを画像処理装置１０に送信する。画像処理装置１０のＣＰＵ１０１は、ＰＣ２０から受信した付加画像用特色の特色名と、モノクロ代替ＣＭＹＫ値との組合せをＨＤＤ１０４に保存することにより、付加画像用特色を画像処理装置１０に登録する（Ｓ１３０２）。
【０１３４】
ＣＰＵ２０１は、通信部２０７に、あらかじめ作成されＨＤＤ２０４に保存されている結合印刷データを画像処理装置１０へ送信させる（Ｓ１３０３）。印刷データの任意のオブジェクトの色設定を付加画像用特色により行うことにより結合印刷データとしての印刷データを作成することは、一般的なＤＴＰ（ＤｅｓｋＴｏｐ  Ｐｕｂｌｉｓｈｉｎｇ）ソフトによる特色の色設定の機能を利用することで可能である。本実施形態は、例えば、他のＰＣにおいてＤＴＰソフトにより作成された結合印刷データがＰＣ２０に保存されている場合に、当該結合印刷データがＰＣ２０から画像処理装置１０へ送信され、画像処理装置１０により画像処理が行われる場合に対応することができる。
【０１３５】
画像処理装置１０は、ＰＣ２０から受信した結合印刷データに基づき画像データを生成する（Ｓ１３０４）。画像データの生成は、図１１のサブルーチンフローチャートに示す処理により実行される。
【０１３６】
本実施形態は、以下の効果を奏する。
【０１３７】
原稿画像のＰＤＬデータと付加画像のＰＤＬデータとが結合され、付加画像のＰＤＬデータの色設定がモノクロの代替色またはカラーの代替色のいずれにも変換可能な特色によりなされることで作成された結合印刷データを画像処理装置に送信する。そして、結合印刷データのラスタライズの際に、原稿画像がモノクロかカラーかを判定し、判定結果に基づいて原稿画像と付加画像のモノクロ／カラー特性が一致するように付加画像のＰＤＬデータに色設定された特色をモノクロの代替色またはカラーの代替色に変換する。これにより、原稿画像と付加画像とが一つの印刷データとなっていても、原稿画像に付加画像が合成されることによる印刷速度の低下やユーザーが意図しない課金の発生を防止することができる。
【０１３８】
（第３実施形態）
本発明の第３実施形態に係る印刷データ処理方法、印刷データ処理装置用プログラム、印刷データ処理装置用プログラムを記録したコンピュータ読取可能な記録媒体、および印刷データ処理システムについて説明する。
【０１３９】
本実施形態と上述した第１実施形態とで異なる点は次の点である。すなわち、本実施形態においては、結合印刷データであるＰＤＬデータを、ページごとに、原稿画像のＰＤＬデータが付加画像のＰＤＬデータよりも結合印刷データにおいて先頭近くに配置されるように構成する点である。これ以外の点については、本実施形態は第１実施形態と同様であるため、重複となる説明は省略または簡略化する。
【０１４０】
図１４は、本実施形態に係る印刷データ処理システムにおいて作成される結合印刷データの構成を示す説明図である。
【０１４１】
図１４に示すように、結合印刷データは、ページごとに、原稿画像のＰＤＬデータが付加画像のＰＤＬデータよりも結合印刷データにおいて先頭近くに配置されている。
【０１４２】
図１５は、本実施形態において、結合印刷データに基づいて画像データを生成するためのフローチャートであり、図９のステップＳ９０４のサブルーチンフローチャートである。
【０１４３】
画像処理装置１０のＣＰＵ１０１は、ＰＣ２０から送信された結合印刷データを通信部１０５に受信させる（Ｓ１５０１）。
【０１４４】
ＣＰＵ１０１は、モノクロ／カラー判定結果の初期値として、モノクロの判定結果をＨＤＤ１０４に保存する（Ｓ１５０２）。
【０１４５】
ＣＰＵ１０１は、結合印刷データであるＰＤＬデータにおいて先頭に記述されたオブジェクトを選択する（Ｓ１５０３）。なお、ステップＳ１５０３において選択される被選択オブジェクトには、結合印刷データに含まれる原稿画像のＰＤＬデータおよび付加画像のＰＤＬデータにおいて記述されているオブジェクトの両方が含まれる。
【０１４６】
ＣＰＵ１０１は、被選択オブジェクトが、結合印刷データであるＰＤＬデータにおいて末尾に記述されているオブジェクトかどうか判断する（Ｓ１５０４）。
【０１４７】
ＣＰＵ１０１は、被選択オブジェクトが、結合印刷データであるＰＤＬデータにおいて末尾に記述されているオブジェクトではないと判断したときは（Ｓ１５０４：ＮＯ）、被選択オブジェクトの色設定を解析する（Ｓ１５０５）。なお、ＣＰＵ１０１は、被選択オブジェクトが、結合印刷データであるＰＤＬデータにおいて末尾に記述されているオブジェクトであると判断したときは（Ｓ１５０４：ＹＥＳ）、本サブルーチンフローチャートを終了する。
【０１４８】
ＣＰＵ１０１は、ステップＳ１５０５における被選択オブジェクトの色設定の解析結果に基づき、被選択オブジェクトの色が特色かどうか判断する（Ｓ１５０６）。ＣＰＵ１０１は、被選択オブジェクトの色が特色ではないと判断したときは（Ｓ１５０６：ＮＯ）、被選択オブジェクトを所定の方法で色変換する（Ｓ１５０８）。すなわち、例えば、ＣＰＵ１０１は、被選択オブジェクトの色設定のＣＭＹＫ値を、あらかじめＨＤＤ１０４に保存したＬＵＴにより色補正を行う色変換を行う。
【０１４９】
ＣＰＵ１０１は、被選択オブジェクトの色が特色であると判断したときは（Ｓ１５０６：ＹＥＳ）、特色が付加画像用特色かどうか判断する（Ｓ１５０７）。特色が付加画像用特色かどうかは、被選択オブジェクトの色設定において付加画像用特色の特色名が含まれているかどうかにより判断されることができる。
【０１５０】
ＣＰＵ１０１は、被選択オブジェクトの色が付加画像用特色ではないと判断したときは（Ｓ１５０７：ＮＯ）、被選択オブジェクトの特色を、所定の方法で、指定されたＣＭＹＫ値に変換する。すなわち、例えば、ＣＰＵ１０１は、被選択オブジェクトの色設定の特色を、あらかじめＨＤＤ１０４に保存した、特色名とＣＭＹＫ値との対応表に基づいて被選択オブジェクトの特色をＣＭＹＫ値に変換する。
【０１５１】
ＣＰＵ１０１は、ステップＳ１５０８において色変換された原稿画像のＰＤＬデータの被選択オブジェクトのＣＭＹＫ値、およびステップＳ１５０９において変換された原稿画像のＰＤＬデータの被選択オブジェクトのＣＭＹＫ値において、Ｃ値、Ｍ値、およびＹ値が０％かどうか判断する（Ｓ１５１０）。原稿画像のＰＤＬデータのオブジェクトのＣ値、Ｍ値、およびＹ値の少なくともいずれかが０％ではない場合（Ｓ１５１０：Ｎｏ）は、その原稿画像のオブジェクトの色はカラーである。従って、この場合は、ＣＰＵ１０１は、ＨＤＤ１０４に保存されたモノクロ／カラー判定結果をカラーに書き換える（Ｓ１５１１）。
【０１５２】
ＣＰＵ１０１は、原稿画像のＰＤＬデータの色変換がなされたオブジェクトのＣＭＹＫ値において、Ｃ値、Ｍ値、およびＹ値のいずれも０％であると判断したときは（Ｓ１５１０：ＹＥＳ）、ＨＤＤ１０４に保存されたモノクロ／カラー判定結果を書き換えずに保存されたモノクロ／カラー判定結果を維持する。
【０１５３】
ステップＳ１５０７において、ＣＰＵ１０１は、被選択オブジェクトの色が付加画像用特色であると判断したときは（Ｓ１５０７：ＹＥＳ）、ステップＳ１５１２〜ステップＳ１５１４を実行することにより、被選択オブジェクトである付加画像のオブジェクトの付加画像用特色をモノクロ代替ＣＭＹＫ値またはカラー代替ＣＭＹＫ値に変換する。付加画像のオブジェクトの付加画像用特色のモノクロ代替ＣＭＹＫ値またはカラー代替ＣＭＹＫ値への変換は、ステップＳ１５１１においてＨＤＤ１０４に保存された、原稿画像のＰＤＬデータのモノクロ／カラー判定結果に基づいて行われる。
【０１５４】
本実施形態においては、結合印刷データであるＰＤＬデータを、ページごとに、原稿画像のＰＤＬデータが付加画像のＰＤＬデータよりも結合印刷データにおいて先頭近くに配置されるように構成する。これにより、ページごとに、付加画像のＰＤＬデータについての画像処理よりも先に原稿画像のＰＤＬデータについての画像処理が開始される。このため、当該ページの付加画像のＰＤＬデータについて色変換およびラスタライズが開始される時点で、当該ページの原稿画像のＰＤＬデータについてすべてのオブジェクトの色変換およびモノクロ／カラー判定を終了させることができる。そして、当該ページの原稿画像のＰＤＬデータについてモノクロ／カラー判定を行う際に色変換を行った原稿画像のＰＤＬデータについてラスタライズを行うことができる。これにより、原稿画像のモノクロ／カラー判定の際と、原稿画像のラスタライズの際において重複して原稿画像のＰＤＬデータの色変換処理を行う必要がなくなるため、画像処理装置１０における画像処理時間を短縮することができる。
【０１５５】
ＣＰＵ１０１は、原稿画像のＰＤＬデータのモノクロ／カラー判定結果において、被選択オブジェクトである付加画像のオブジェクトが付加される原稿画像がカラーと判定された場合は（Ｓ１５１２：ＹＥＳ）、被選択オブジェクトの付加画像用特色をカラー代替ＣＭＹＫ値に変換する（Ｓ１５１３）。一方、ＣＰＵ１０１は、被選択オブジェクトである付加画像のオブジェクトが付加される原稿画像がモノクロと判定された場合は（Ｓ１５１２：ＮＯ）、被選択オブジェクトの付加画像用特色をモノクロ代替ＣＭＹＫ値に変換する（Ｓ１５１４）。
【０１５６】
ＣＰＵ１０１は、ステップＳ１５０８において色変換された被選択オブジェクト、および、ステップＳ１５０９、ステップＳ１５１３、ステップＳ１５１４において色設定が変換された被選択オブジェクトのラスタライズを行う（Ｓ１５１５）。
【０１５７】
ＣＰＵ１０１は、結合印刷データであるＰＤＬデータにおいて被選択オブジェクトの次に記述されたオブジェクトを次の被選択オブジェクトとして選択する（Ｓ１５１６）。
【０１５８】
ＣＰＵ１０１は、結合印刷データであるＰＤＬデータのすべてのオブジェクトについてステップＳ１５０５〜ステップＳ１５１６を実施することにより、結合印刷データのすべてのオブジェクトについてラスタライズを行う。
【０１５９】
ＣＰＵ１０１は、結合印刷データのラスタライズにより生成した画像データをプリンターに送信して、付加画像が付加された原稿画像の印刷を行わせる。
【０１６０】
本実施形態は、第１実施形態が奏する効果に加え、以下の効果を奏する。
【０１６１】
結合印刷データを、ページごとに、原稿画像のＰＤＬデータを付加画像のＰＤＬデータよりも結合印刷データにおいて先頭近くに配置されるように構成する。これにより、ページごとに、付加画像のＰＤＬデータについての画像処理が開始される前に原稿画像のＰＤＬデータのすべてのオブジェクトの色変換およびモノクロ／カラー判定を終了させることができる。このため、色変換を行った原稿画像のＰＤＬデータを、モノクロ／カラー判定の対象としての用途とラスタライズの対象としての用途とにおいて兼用できるため、原稿画像のＰＤＬデータの色変換を重複して行う必要がなくなる。従って、画像処理装置１０における画像処理時間を短縮することができる。
【０１６２】
以上、本発明の実施形態に係る画像形成方法、画像形成システム用プログラム、画像形成システム用プログラムを記録した記録媒体、および画像形成システムについて説明したが、本発明は上述した実施形態に限定されるものではない。
【０１６３】
例えば、上述した実施形態においては、モノクロ／カラー判定を原稿画像のＰＤＬデータのすべてのオブジェクトについて行っている。しかし、原稿画像のＰＤＬデータ内の被選択オブジェクトについてモノクロ／カラー判定がカラーと判定された時点で、同じページのモノクロ／カラー判定がされていないオブジェクトについてのモノクロ／カラー判定を省略し、当該ページのモノクロ／カラー判定をカラーに確定させてもよい。これにより、モノクロ／カラー判定に要する時間を削減することができる。
【０１６４】
また、上述した実施形態においては、付加画像のＰＤＬデータの色設定を付加画像用特色により置換した後に、付加画像のＰＤＬデータと原稿画像のＰＤＬデータとを結合することにより結合印刷データを生成している。しかし、付加画像のＰＤＬデータと原稿画像のＰＤＬデータとを結合した後に、付加画像のＰＤＬデータの色設定を付加画像用特色により置換することにより結合印刷データを生成してもよい。
【０１６５】
また、上述した実施形態においては、結合印刷データにおける付加画像のＰＤＬデータの色設定が、付加画像用特色の特色名とカラー代替ＣＭＹＫ値の組合せによりなされているが、付加画像用特色の特色名とモノクロ代替ＣＭＹＫ値の組合せによりなされてもよい。この場合、ＰＣ２０には、付加画像用特色の特色名とモノクロ代替ＣＭＹＫ値の組合せによる付加画像用特色が登録され、画像処理装置１０には、付加画像用特色の特色名とカラー代替ＣＭＹＫ値の組合せによる付加画像用特色が登録されることができる。
【０１６６】
また、上述した実施形態においてプログラムにより実現する機能の一部または全部を、回路等のハードウェアに置き替えて実施されてもよい。
【符号の説明】
【０１６７】
１    印刷データ処理システム、
１０    画像処理装置、
２０    ＰＣ。
【図１】
2015109512.tif 000003
【図２】
2015109512.tif 000004
【図３】
2015109512.tif 000005
【図４】
2015109512.tif 000006
【図５】
2015109512.tif 000007
【図６】
2015109512.tif 000008
【図７】
2015109512.tif 000009
【図８】
2015109512.tif 000010
【図９】
2015109512.tif 000011
【図１０】
2015109512.tif 000012
【図１１】
2015109512.tif 000013
【図１２】
2015109512.tif 000014
【図１３】
2015109512.tif 000015
【図１４】
2015109512.tif 000016
【図１５】
2015109512.tif 000017